(57)【要約】本発明は、チャネル状態情報フィードバック方法およびユーザ装置を提供する。該方法は、発信地点が設定した、マルチアンテナ・多発信地点協働に参与するＣＳＩプロセス集合をユーザ装置が取得するステップと、発信地点がＣＳＩプロセス集合内のＣＳＩプロセスに対して設定したサブ帯域（ＳＢ）継承をユーザ装置が取得するステップと、ユーザ装置が、ＣＳＩプロセスに対する設定に基づいてＣＳＩを算出するステップと、ユーザ装置が、算出されたＣＳＩを発信地点にフィードバックするステップと、を含む。本発明は実現が容易で、オーバーヘッドが低いという利点を有し、増強型４Ｇシステムおよび５Ｇシステムに適用可能である。
2016514415.tif 000002
【特許請求の範囲】
【請求項１】
発信地点が設定した、マルチアンテナ・多発信地点協働に参与するＣＳＩプロセス集合を、ユーザ装置が取得するステップと、
発信地点がＣＳＩプロセス集合内のＣＳＩプロセスに対して設定したサブ帯域（ＳＢ）継承を、ユーザ装置が取得するステップと、
ユーザ装置が、ＣＳＩプロセスに対する設定に基づいてＣＳＩを算出するステップと、
ユーザ装置が、算出されたＣＳＩを発信地点にフィードバックするステップと、を含むチャネル状態情報（ＣＳＩ）フィードバック方法。
【請求項２】
発信地点がＣＳＩプロセス集合内のＣＳＩプロセスに対して設定したランク指示子（ＲＩ）継承をユーザ装置が取得するステップをさらに含む、請求項１に記載の方法。
【請求項３】
ＣＳＩプロセスがＳＢ依存型プロセスとして設定される場合には、当該ＣＳＩプロセスは、ＳＢ参照型プロセスと同様のＳＢを継承し、
ＣＳＩプロセスがＲＩ依存型プロセスとして設定される場合には、当該ＣＳＩプロセスは、ＲＩ参照型プロセスと同様のＲＩを継承する、請求項１または２に記載の方法。
【請求項４】
非多地点協調（ＣｏＭＰ）による伝送をサポートするためのＣＳＩプロセスに対して、いかなる継承も設定しない処理、
非相関連合発信（ＪＴ）による伝送、および周波数領域における動的発信地点選択／動的発信地点空白化（ＤＰＳ／ＤＰＢ）による伝送をサポートするためのＣＳＩプロセスに対して、ＲＩ継承を設定し、ＳＢ継承を設定しない処理、
独立型多地点伝送をサポートするためのＣＳＩプロセスに対して、ＲＩ継承を設定せず、ＳＢ継承を設定する処理、および／または、
相関ＪＩによる伝送をサポートするためのＣＳＩプロセスに対してＲＩ継承およびＳＢ継承を設定する処理を含む、請求項１または２に記載の方法。
【請求項５】
ＳＢ参照型プロセスおよびＳＢ依存型プロセスにおいてＳＢ情報および他のＣＳＩを同時間に通知する必要がある場合には、ユーザ装置は、ＳＢ参照型プロセスに関するＣＳＩのみを算出し通知する、請求項１または２に記載の方法。
【請求項６】
ＳＢ参照型プロセスおよびＳＢ依存型プロセスにおいてＳＢ情報および他のＣＳＩを異なる時間に通知する必要がある場合には、ＳＢ依存型プロセスに関する通知情報の算出は、直近に継承されたＳＢ情報に基づいて行われる、請求項１または２に記載の方法。
【請求項７】
ＳＢ参照型プロセスおよび対応のＳＢ依存型プロセスによるＪＴ伝送を想定し、ＳＢ参照型プロセスのＳＢ選択を算出する、請求項１または２に記載の方法。
【請求項８】
ＳＢ依存型プロセスとして設定され、ＲＩ依存型プロセスとして設定されていないＣＳＩプロセスに対して、新モード２−１における新フィードバックタイプ１ａを形成し、ＳＢ参照型プロセスから継承されるサブ帯域位置をフィードバックしない、請求項１または２に記載の方法。
【請求項９】
サブ帯域チャネル品質指示子（ＣＱＩ）が、ユーザ装置が干渉を除去した後のＣＱＩであり、
ユーザ装置が干渉を除去する順番は、固定の順番、または発信地点がＲＲＣまたはＭＡＣシグナリングを用いてユーザ装置へ設定した順番である、請求項８に記載の方法。
【請求項１０】
ＳＢ依存型プロセスにおけるサブ帯域ＣＱＩの数と、ＳＢ参照型プロセスにおけるサブ帯域ＣＱＩの数とは異なる、請求項８に記載の方法。
【請求項１１】
ＳＢ依存型プロセスおよびＲＩ参照型プロセスとして設定されたＣＳＩプロセスに対し、新モード２−１における新フィードバックタイプ１ａを形成し、ＳＢ参照型プロセスから継承されるサブ帯域位置をフィードバックし、またはフィードバックしない、請求項１または２に記載の方法。
【請求項１２】
新フィードバックタイプ１ａでのフィードバック内容には、ＳＢ参照型プロセスにおけるサブ帯域位置と同様のサブ帯域位置、サブ帯域Ｗ２、およびサブ帯域ＣＱＩが含まれる、請求項１１に記載の方法。
【請求項１３】
新フィードバックタイプ１ａでのフィードバック内容には、ＳＢ参照型プロセスにおけるサブ帯域位置と同様のサブ帯域位置、サブ帯域Ｗ２、および集積ＣＱＩが含まれる、請求項１１に記載の方法。
【請求項１４】
新フィードバックタイプ１ａでのフィードバック内容には、サブ帯域Ｗ２およびサブ帯域ＣＱＩのみが含まれ、
前記ＣＳＩプロセスにおけるサブ帯域位置は、ＳＢ参照型プロセスにおけるサブ帯域位置と同様であり、フィードバックされない、請求項１１に記載の方法。
【請求項１５】
新フィードバックタイプ１ａでのフィードバック内容には、サブ帯域Ｗ２、ＳＢ依存型プロセスとＳＢ参照型プロセスとの相対位相情報、および集積ＣＱＩが含まれ、
前記ＣＳＩプロセスにおけるサブ帯域位置は、ＳＢ参照型プロセスにおけるサブ帯域位置と同様であり、フィードバックされない、請求項１１に記載の方法。
【請求項１６】
新フィードバックタイプ１ａでのフィードバック内容には、サブ帯域Ｗ２、ＳＢ依存型プロセスとＳＢ参照型プロセスとの相対位相情報、およびサブ帯域ＣＱＩが含まれ、
前記ＣＳＩプロセスにおけるサブ帯域位置は、ＳＢ参照型プロセスにおけるサブ帯域位置と同様であり、フィードバックされない、請求項１１に記載の方法。
【請求項１７】
新フィードバックタイプ１ａでのフィードバック内容には、サブ帯域Ｗ２、サブ帯域ＣＱＩおよび集積ＣＱＩが含まれ、
前記ＣＳＩプロセスにおけるサブ帯域位置は、ＳＢ参照型プロセスにおけるサブ帯域位置と同様であり、フィードバックされない、請求項１１に記載の方法。
【請求項１８】
前記集積ＣＱＩと前記サブ帯域ＣＱＩとの差分エンコードを行う、請求項１７に記載の方法。
【請求項１９】
新フィードバックタイプ１ａでのフィードバック内容には、サブ帯域Ｗ２および集積ＣＱＩが含まれ、
前記ＣＳＩプロセスにおけるサブ帯域位置は、ＳＢ参照型プロセスにおけるサブ帯域位置と同様であり、フィードバックされない、請求項１１に記載の方法。
【請求項２０】
新フィードバックタイプ１ａでのフィードバック内容には、増強されたサブ帯域Ｗ２および集積ＣＱＩが含まれ、
前記ＣＳＩプロセスにおけるサブ帯域位置は、ＳＢ参照型プロセスにおけるサブ帯域位置と同様であり、フィードバックされない、請求項１１に記載の方法。
【請求項２１】
新フィードバックタイプ１ａでのフィードバック内容には、増強されたサブ帯域Ｗ２およびサブ帯域ＣＱＩが含まれ、
前記ＣＳＩプロセスにおけるサブ帯域位置は、ＳＢ参照型プロセスにおけるサブ帯域位置と同様であり、フィードバックされない、請求項１１に記載の方法。
【請求項２２】
新フィードバックタイプ１ａは、予め設定されているタイプ、または、発射地点が、複数のタイプ様式からなるサブ集合の中から選択し、ＲＲＣまたはＭＡＣシグナリングを用いてユーザ装置へ設定したタイプである、請求項１２から２１までのいずれか１項に記載の方法。
【請求項２３】
前記相対位相情報は、１つまたは複数の位相値である、請求項１２から２１までのいずれか１項に記載の方法。
【請求項２４】
前記集積ＣＱＩには、マルチデータストリームのＪＴ伝送をサポートするために、複数のＣＱＩ値が含まれる、請求項１２から２１までのいずれか１項に記載の方法。
【請求項２５】
ＳＢ参照型プロセスおよびＳＢ依存型プロセスによるＪＴ伝送を想定し、集積ＣＱＩを算出する、請求項１２から２１までのいずれか１項に記載の方法。
【請求項２６】
発信地点が設定した、マルチアンテナ・多発信地点協働に参与するＣＳＩプロセス集合を取得するＣＳＩプロセス集合取得ユニット（７１０）と、
発信地点がＣＳＩプロセス集合内のＣＳＩプロセスに対して設定したサブ帯域（ＳＢ）継承を取得する継承設定取得ユニット（７２０）と、
ＣＳＩプロセスに対する設定に基づいてＣＳＩを算出するＣＳＩ算出ユニット（７３０）と、
算出されたＣＳＩを発信地点にフィードバックするＣＳＩフィードバックユニット（７４０）と、を含むユーザ装置（７００）。
【請求項２７】
前記継承設定取得ユニット（７２０）は、さらに、発信地点がＣＳＩプロセス集合内のＣＳＩプロセスに対して設定したランク指示子（ＲＩ）継承を取得する、請求項２６に記載のユーザ装置。
【請求項２８】
ＣＳＩプロセスがＳＢ依存型プロセスとして設定される場合には、当該ＣＳＩプロセスは、ＳＢ参照型プロセスと同様のＳＢを継承し、
ＣＳＩプロセスがＲＩ依存型プロセスとして設定される場合には、当該ＣＳＩプロセスは、ＲＩ参照型プロセスと同様のＲＩを継承する、請求項２６または２７に記載のユーザ装置。
【請求項２９】
ＳＢ参照型プロセスおよびＳＢ依存型プロセスにおいてＳＢ情報および他のＣＳＩを同時間に通知する必要がある場合には、前記ＣＳＩ算出ユニット（７３０）は、ＳＢ参照型プロセスに関するＣＳＩのみを算出する、請求項２６または２７に記載のユーザ装置。
【請求項３０】
ＳＢ参照型プロセスおよびＳＢ依存型プロセスにおいてＳＢ情報および他のＣＳＩを異なる時間に通知する必要がある場合には、前記ＣＳＩ算出ユニット（７３０）は、直近に継承されたＳＢ情報に基づいて、ＳＢ依存型プロセスに関する通知情報を算出する、請求項２５または２６に記載のユーザ装置。
【請求項３１】
前記ＣＳＩ算出ユニット（７３０）は、ＳＢ参照型プロセスおよび対応のＳＢ依存型プロセスによるＪＴ伝送を想定し、ＳＢ参照型プロセスのＳＢ選択を算出する、請求項２５または２６に記載のユーザ装置。
【請求項３２】
ＳＢ依存型プロセスとして設定され、ＲＩ依存型プロセスとして設定されていないＣＳＩプロセスに対し、前記ＣＳＩフィードバックユニット（７４０）は、新モード２−１における新フィードバックタイプ１ａを採用してフィードバックを行い、
前記新フィードバックタイプ１ａでのフィードバック内容には、ＳＢ参照型プロセスから継承されるサブ帯域位置が含まれない、請求項２５または２６に記載のユーザ装置。
【請求項３３】
ＳＢ依存型プロセスおよびＲＩ参照型プロセスとして設定されたＣＳＩプロセスに対し、前記ＣＳＩフィードバックユニット（７４０）は、新モード２−１における新フィードバックタイプ１ａを採用してフィードバックを行い、
前記新フィードバックタイプ１ａでのフィードバック内容には、ＳＢ参照型プロセスから継承されるサブ帯域位置が含まれ、または含まれない、請求項２５または２６に記載のユーザ装置。
【請求項３４】
前記ＣＳＩ算出ユニット（７３０）は、ＳＢ参照型プロセスおよびＳＢ依存型プロセスによるＪＴ伝送を想定し、集積ＣＱＩを算出する、請求項３３に記載のユーザ装置。
【発明の詳細な説明】
【発明の詳細な説明】
【０００１】
〔技術分野〕
本発明は通信技術分野に関し、より具体的には、多発信地点協働モード下のチャネル状態情報フィードバック方法、および該方法を用いたユーザ装置に関する。
〔背景技術〕
現代の無線モバイル通信システムは、２つの顕著な特徴を呈している。その１つは、高速ブロードバンドである。例えば、第４世代無線モバイル通信システムは、バンド幅が１００ＭＨｚに及び、下り速度が１Ｇｂｐｓにも達している。もう１つは、モバイルインターネット接続、携帯からの動画リクエストやオンラインナビゲーションなどの新興な業務を促進させているモバイルインターオペラビリティである。この２つの特徴に関しては、無線モバイル通信技術に対し、主に超高速の無線伝送、領域間の干渉抑制、移動中の信号伝送の信頼性、分布型／集中型信号処理などのような高性能が要求されている。また、将来の増強型第４世代（４Ｇ）および第５世代（５Ｇ）の無線モバイル通信システムにおいては、上記の発展需要を満たすために、関連の各種のコア技術が提出、論証され、本分野の研究者から注目が集まりつつある。
【０００２】
２００７年１０月に、国際電気通信連合（ＩＴＵ）により、世界マイクロ波インターオペラビリティアクセスシステム（ＷｉＭａｘ；Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）が４番目の３Ｇシステム標準として認定された。３Ｇ時代の終末期に発生したこの状況は、実質的に４Ｇ標準の争奪戦の幕開けであった。実際は、無線ローカルエリアネットワークおよびＷｉＭａｘを代表とした無線ＩＰ技術の課題に挑むために、既に２００５年から、第３世代３ＧＰＰ組織が斬新なシステムアップグレード、すなわちロング・ターム・エボリューション（ＬＴＥ；Ｌｏｎｇ  Ｔｅｒｍ  Ｅｖｏｌｕｔｉｏｎ）の標準化作業に着手し始めた。ＬＴＥは、直交周波数分割多重化技術（ＯＦＤＭ；Ｏｒｔｈｏｇｏｎａｌ  Ｆｒｅｑｕｅｎｃｙ  Ｄｉｖｉｓｉｏｎ  Ｍｕｔｉｐｌｅｘｉｎｇ）に基づく準第４世代システムであり、２００９年初に初版が発行され、２０１０年から徐々に世界中のビジネスに利用され始めた。それと同時に、第４世代無線モバイル通信システム（４Ｇ；ｔｈｅ  Ｆｏｕｒｔｈ  Ｇｅｎｅｒａｔｉｏｎ）の標準化制定に対する３ＧＰＰ組織の作業も２００８年の上半期に始動した。このシステムは、進化型ロング・ターム・エボリューション（ＬＴＥ−Ａ；Ｌｏｎｇ  Ｔｅｒｍ  Ｅｖｏｌｕｔｉｏｎ  Ａｄｖａｎｃｅｄ）と称され、その物理層プロセスのコア標準化ドキュメントが２０１１年初に完成された。２０１１年１１月に、ＩＴＵ組織は、中国の重慶市で、ＬＴＥ−ＡシステムおよびＷｉＭａｘシステムを４Ｇシステムにおける２つの公式標準とすることを公表した。現在、ＬＴＥ−Ａシステムの商用化は世界中で普及されつつある。
【０００３】
ＬＴＥ−ＡシステムおよびＷｉＭａｘシステムを代表とする第４世代無線モバイル通信システムは、高速、満足の通信サービスをユーザへ提供できるが、将来の数年ないし十数年後のユーザニーズを充分に応えることができない。現在、モバイル通信システムのユーザ数は、約５５億であり、２０１５年までにはその数字が７３億に上ると予想される。中では、スマートフォンのユーザ数の増加が特に著しい。２０１１年現在、世界中のスマートフォン端末は、約４．２８億であるが、２０１５年までにはその数字が倍に増加し１０億に上ると見られる。高機能のスマートフォンの普及に伴って、無線モバイルの通信速度がハイスピードで上昇している。近年では、世界中の無線通信速度は、年間で２倍の勢いで安定に上昇している。この勢いだと、無線モバイル通信システムは、１０年後のユーザの通信速度に対する基本的なニーズを満たすためには、現在よりも１０００倍超の速度向上が必要となる。勿論、上述した速度は、主にデータ処理サービス（現在は総サービス量の９割を占める）に関し、例えばスマートフォン用ソフトのダウンロード、リアルタイムのナビゲーション、個人情報のクラウド同期および情報共有などに関する。なお、音声処理サービスは、人口の増加が比較的に遅いという客観的要因に左右され、将来の１０年間にわたって大幅な増加がないと見られる。
【０００４】
１０００倍の速度向上という課題の他に、モバイルインターネットの出現によるもう１つの課題がある。現在、インターネットへのアクセスの７０％が、モバイル端末から行われている。今後の１０年間は、ＩＴ業界にとって斬新な商機があり、伝統的なＰＣインターネットが徐々にモバイルインターネットに取って替われることで、ビッグチャンスが発生する。そして、ユーザの新しい習慣によって、例えば携帯型の通信装置およびタッチパネル向けのソフトウェア開発、個人ロケーティングに基づくソーシャルネットワークや、個人を中心とするクラウドデータ管理など、一連の新しいサービスモデルが生み出される。ところで、モバイルインターネットが無線モバイル通信システムにもたらす影響は、主に次の２点である。まずは、モバイル動画のデータパケット量が著しく増加し、２０１６年までにはデータパケット総量の６６％程度を占めると予想される。このようなリアルタイム性レベルの高い業務では、無線モバイル通信システムに高い信頼性が要求される。次に、将来には、ほとんどのモバイルデータ通信が室内やセル集中エリアで発生し、無線モバイル通信システムのカバー率も高く要求される。
【０００５】
また、２０２０年になると、世界中には２００億もの機器型通信装置が存在すると予想され、そのデータパケット量が現在より５００％増加する。膨大な数の機器型通信装置をサポートするだけのシステムを如何に設計するかが、さらに研究する余地のある課題である。
【０００６】
今後１０年間の課題によると、増強型第４世代無線モバイル通信システムに対する発展需要は、主に次の点である。
【０００７】
・より速い無線ブロンドバンド速度、および一部のセル集中エリアの重点的な改善。
【０００８】
・ユーザ体験のさらなる向上、特にセル境界エリアの通信サービスの最適化。
【０００９】
・使用可能な周波数スペクトルでは１０００倍の拡張が不可能であることを考慮し、周波数スペクトルの利用効率を向上させる新技術を研究し続ける必要がある。
【００１０】
・より広い通信帯域を獲得するために、高周波数帯域の周波数スペクトル（５ＧＨｚまたはもっと高い）の導入が必須である。
【００１１】
・データストリーム量を分担するための、現存ネットワーク（２Ｇ／３Ｇ／４Ｇ、ＷＬＡＮ、ＷｉＭａｘなど）の協働。
【００１２】
・異なる業務、応用およびサービスに対する特定の最適化。
【００１３】
・大規模な機器の通信性能に対するシステムサポート力の増強。
【００１４】
・柔軟、スマート、且つ低価なネットワーク設計および構築。
【００１５】
・ネットワークの消費電力およびユーザ装置の電池消費の節約の勘案。
【００１６】
前記の発展需要を実現するために、今年の６月に、第３世代モバイル通信パートナ・プロジェクト（３ＧＰＰ）組織は、スロベニアで特別作業会議を開き、増強型第４世代無線モバイル通信システムのコア技術について討議した。この会議では、４２件の提案が発表、検討され、最終的には３件のコア技術が選ばれた。具体的には、増強型サブセル技術、三次元ＭＩＭＯ技術、および増強型多地点協調通信技術である。
【００１７】
多地点協調通信技術とは、複数のユーザが同時に１つまたは複数の発信地点から通信サービスを得る技術である。この技術によれば、システムは、分散している発信地点からユーザのチャネル状態情報を収集し、多地点協働およびリソース分配を行うことで、ユーザのＱｏｓ要求を満たすと共に、ネットワーク全体の各種リソースを有効に利用することができる。なお、発信地点（ＴＰ）とは、一組の下り参照信号パターン（ＣＳＩ−ＲＳ  Ｐａｔｔｅｒｎ）に対応した複数の発信ポートからなる集合を指し、伝統的な「基地局」の定義に限らない。
【００１８】
過去の十数年の間は、ＭＩＭＯシステムの理論の成熟が奏功し、多地点協調通信の研究が盛んに行われてきた。ＭＩＭＯシステムでは、一般的に、上りおよび下りチャネルのマクロモデルを多元接続チャネル（ＭＡＣ；Ｍｕｌｔｉｐｌｅ  Ａｃｃｅｓｓ  Ｃｈａｎｎｅｌ）モデル、およびブロードキャストチャネル（ＢＣ；Ｂｒｏａｄｃａｓｔ  Ｃｈａｎｎｅｌ）モデルと称する。論証の結果によれば、ユーザ端に１つのアンテナが配置されている場合、ＭＡＣモデルおよびＢＣモデルの容量領域には双対性が存在する。この双対性は、発信端および受信端の両方に複数のサブアンテナが配置されている場合においても成立する。さらに、このような双対性は、発信端および受信端のアンテナの各々がパワー制限される場合においても成立することが論証された。つまり、アンテナに対してグループ分けを行い、アンテナのグループを疑似の発信ノードまたは受信ノードとすると、ＭＩＭＯシステムにおけるＭＡＣモデルまたはＢＣモデルは、多地点協調通信ネットワークとして進化し、容量の上限が拡張される。容量の上限に関する基本的問題が解決された後、多地点協調通信技術の研究が全面的に展開され、学術界の注目点となった。
【００１９】
多地点協調通信技術は、産業界の標準化作業においても大いに注目され、既に初歩的に第４世代無線モバイル通信システムに適用され始めた。例えば、ＬＥＴ−Ａシステムには、主にダウンリンクのために使用される多地点協調（ＣｏＭＰ；Ｃｏｏｒｄｉｎａｔｅｄ  Ｍｕｌｔｉ  Ｐｏｉｎｔｓ）と呼ばれる技術が採用されている。また、上り多発信地点による連合受信も、発信地点の自動選択の一案である。但し、第４世代無線モバイル通信システムは、簡単な非相関多地点協調の構成しか考慮されていない。
【００２０】
ＬＴＥ−Ａシステムにおけるマルチアンテナ・多発信地点協働に関する大まかな記載は、標準化ファイル（３ＧＰＰ  ＴＲ  ３６．８１９  Ｖ２．０．０（２０１１〜０９）、「Ｃｏｏｒｄｉｎａｔｅｄ  Ｍｕｌｔｉ-Ｐｏｎｉｔ  Ｏｐｅｒａｔｉｏｎ  ｆｏｒ  ＬＴＥ  ｐｈｙｓｉｃａｌ  ｌａｙｅｒ  ａｓｐｅｃｔｓ（Ｒｅｌｅａｓｅ  １１）」，（３ＧＰＰ組織の技術報告；Ｎｏ．３６．８１９；バージョンＶ２．０．０；日付：２０１１年９月，「ＬＴＥシステムにおける多地点協調の物理層について」））を参照できる。以下は、それについて概括的に説明する。
【００２１】
マルチアンテナ・多発信地点サービスにおけるユーザ装置は、一組の発信地点に対して、各発信地点とユーザ装置との間のリンクのチャネル状態／統計情報を通知する必要がある。当該一組のセルは、マルチアンテナ・多発信地点による伝送の測定集合と称される。
【００２２】
ユーザ装置から情報が実際にフィードバックされる発信地点は、測定集合のサブ集合であってもよい。このサブ集合は、マルチアンテナ・多発信地点による伝送の協働集合と称される（マルチアンテナ・多発信地点による伝送の協働集合と、マルチアンテナ・多発信地点による伝送の測定集合とが、同一の集合であってもよい）。
【００２３】
マルチアンテナ・多発信地点による伝送の協働集合に含まれる発信地点は、ユーザ装置に対するＰＤＳＣＨ（Ｐｈｙｓｉｃａｌ  Ｄｏｗｎｌｉｎｋ  Ｓｈａｒｅｄ  Ｃｈａｎｎｅｌ；物理ダウンリンク共有チャネル、すなわちユーザ装置のデータチャネル）の伝送に直接、または間接的に参与する。
【００２４】
複数の発信地点が直接に協働伝送に参与する方式は、ＪＰ（Ｊｏｉｎｔ  Ｐｒｏｃｅｓｓｉｎｇ；連合処理）と称され、ユーザ装置のＰＤＳＣＨ信号を、協働に参与する複数の発信地点と共有させることが要求される。ＪＰは２種類の方法に細分される。１つは、ＪＴ（Ｊｏｉｎｔ  Ｔｒａｎｓｍｉｓｓｉｏｎ；連合発信）と呼ばれ、複数の発信地点がそのＰＤＳＣＨ信号を同時にユーザ装置に発信する方法である。もう１つは、ＤＰＳ（Ｄｙｎａｍｉｃ  Ｐｏｉｎｔ  Ｓｅｌｅｃｔｉｏｎ；動的発信地点選択）およびＤＰＢ（Ｄｙｎａｍｉｃ  Ｐｏｉｎｔ  Ｂｌａｎｋｉｎｇ；動的発信地点空白化）と呼ばれ、複数の発信地点のうち、常に１つの信号リンクのみを選択または遮断し、当該ＰＤＳＣＨ信号をユーザ装置に発信する方法である。
【００２５】
また、複数の発信地点が間接的に協働伝送に参与する方式は、ＣＢ／ＣＳ（Ｃｏｏｒｄｉｎａｔｅｄ  Ｂｅａｒｍｆｏｒｍｉｎｇ／Ｃｏｏｒｄｉｎａｔｅｄ  Ｓｃｈｅｄｕｌｉｎｇ；ビームフォーミング協調／スケジューリング協調）と称され、ユーザ装置のＰＤＳＣＨ信号を、協働に参与する複数の発信地点と共有させることが要求されない。この方法によれ、複数の発信地点同士は、異なるユーザ装置のＰＤＳＣＨの発信ビーム／リソースを協調することにより、相互干渉を抑制する目的を達成している。
【００２６】
マルチアンテナ・多発信地点による協働伝送環境下で動作するユーザ装置については、その情報フィードバックは、主に発信地点ごとにフィードバックする形式である。また、フィードバックの伝送は、サービス発信地点の上りリソースを利用して行われる。
【００２７】
なお、「マルチアンテナ」（ＭＩＭＯ；Ｍｕｌｔｉｐｌｅ  Ｉｎ  Ｍｕｌｔｉｐｌｅ  Ｏｕｔ）無線伝送技術とは、発信端および受信端に複数のアンテナを配置し、無線伝送における空間リソースを利用して、空間多重化の増幅および空間ダイバシティの増幅を実現するものである。情報論の研究によると、ＭＩＭＯシステムの容量が、発信アンテナ数および受信アンテナ数の最小値に応じて線増長することが明らかになっている。図１はＭＩＭＯシステムの模式図である。図１では、発信端および受信端のマルチアンテナにより、空間領域情報を含むマルチアンテナ無線チャネルが構成されている。
【００２８】
また、「情報フィードバック」とは、主に、ユーザ装置がチャネル状態情報を発信地点にフィードバックした後、発信地点が対応の無線リソース管理などの処理を行うことを指す。チャネル状態情報をフィードバックする方法は、従来技術文献において主に次の３種ある。
【００２９】
＜完全型のチャネル状態情報フィードバック＞
ユーザ装置が、送−受信端チャネル行列内の全要素を量子化した後、当該要素を逐一に発信地点にフィードバックする。或いは、ユーザ装置が、送−受信端チャネル行列内の全要素をアナログ変調し、発信地点にフィードバックする。或いは、ユーザ装置が、送−受信端チャネル行列の瞬間共分散行列を取得し、該共分散行列内の全要素を量子化した後、当該要素を逐一に発信地点にフィードバックする。これにより、発信地点は、ユーザ装置がフィードバックした量子化後のチャネルに基づき、正確なチャネルを再構築することができる（非特許文献１：３ＧＰＰ  Ｒ１−０９３７２０，「ＣｏＭＰ  ｅｍａｉｌ  ｓｕｍｍａｒｙ」，Ｑｕａｌｃｏｍｍ（３ＧＰＰドキュメント，Ｎｏ．Ｒ１−０９３７２０，「多発信地点協調システムにおけるメールの討論要旨」，Ｑｕａｌｃｏｍｍ社）を参照）。なお、この方法の実施の模式図を図２に示す。
【００３０】
＜統計に基づくチャネル状態情報フィードバック＞
ユーザ装置が、送−受信端チャネル行列に対し、例えばその共分散行列の算出など、統計処理を行い、当該統計情報を量子化した後、発信地点にフィードバックする。これにより、発信地点は、ユーザ装置からのフィードバックに基づき、チャネルの統計状態情報を取得することができる（非特許文献１：３ＧＰＰ  Ｒ１−０９３７２０，「ＣｏＭＰ  ｅｍａｉｌ  ｓｕｍｍａｒｙ」，Ｑｕａｌｃｏｍｍ（３ＧＰＰドキュメント，Ｎｏ．Ｒ１−０９３７２０，「多発信地点協調システムにおけるメールの討論要旨」，Ｑｕａｌｃｏｍｍ社）を参照）。なお、この方法の実施の模式図を図３に示す。
【００３１】
＜コードブック空間探索に基づくチャネル状態情報フィードバック＞
ユーザ装置と発信地点との間で、チャネル状態情報の有限の集合（すなわちコードブック空間；常用のコードブック空間は、チャネルランク、および／またはプリコーディング行列、およびまたはチャネル品質指示子などが含まれる）を予め定義しておき、ユーザ装置が送−受信端チャネル行列を検出したときには、前記コードブック空間を探索し、現在のチャネル行列にマッチする最適なチャネル状態情報要素を探し、該要素のインデックスナンバーを発信地点にフィードバックする。これにより、発信地点は、該インデックスナンバーに基づき、予め定義されたコードブック空間に照会することにより、大まかなチャネル状態情報を取得する（非特許文献２：３ＧＰＰ  Ｒ１−０８３５４６，「Ｐｅｒ−ｃｅｌｌ  ｐｒｅｃｏｄｉｎｇ  ｍｅｔｈｏｄｓ  ｆｏｒ  ｄｏｗｎｌｉｎｋ  ｊｏｉｎｔ  ｐｒｏｃｅｓｓｉｎｇ  ＣｏＭＰ」，ＥＴＲＩ（３ＧＰＰドキュメント，Ｎｏ．Ｒ１−０８３５４６，「下りマルチノード協働発信における単独セルのプリコーディング方法」，韓国電子通信学会）を参照）。なお、この方法の実施の模式図を図４に示す。
【００３２】
上述３種の方法のうち、完全型のチャネル状態情報フィードバックは、効果が最も良いが、フィードバックのオーバーヘッドも最も大きく、実際のシステムへの適用が困難である。特に、マルチアンテナ・多発信地点協働システムでは、そのフィードバックのオーバーヘッドが発信地点数の増加に伴って数倍に増加することもあるため、実現がより困難になる。コードブック空間探索に基づくチャネル状態情報フィードバックは、オーバーヘッドが最も小さいが、効果が比較的に劣る。その理由は、チャネル状態を正確に表すことができず、発信端がチャネル特性を十分に利用して特定的伝送を行うことができないためである。但し、この方法は、実現が極めて簡単であり、数ビットだけでフィードバックできるため、実際のシステムにおいて幅広く応用されている。これに対し、統計に基づくチャネル状態情報フィードバックは、前記２種の方法の間の良好な折衷である。この方法は、チャネル状態として明確な統計情報が含まれている場合には、比較的に少量のフィードバック量でチャネル状態を正確に表すことができるため、理想的な効果が得られる。
【００３３】
現在、ＬＴＥおよびＬＴＥ−Ａシステムは、実際のシステムの実現要因を考慮し、単独セルでの伝送方式の場合には、コードブック空間探索に基づくチャネル状態情報フィードバック方法が採用される。また、ＬＴＥ−Ａシステムの多発信地点協働の場合においても、コードブック空間探索に基づくチャネル状態情報フィードバック方法が援用される。以下、このようなフィードバック方法について本発明を説明する。
【００３４】
コードブック空間探索に基づくチャネル状態情報フィードバック方法を採用する場合、ＬＴＥ−Ａシステムには、２種類のフィードバックチャネル、すなわち、上り物理制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）および上り物理共有チャネル（ＰＵＳＣＨ；Ｐｈｙｓｉｃａｌ  Ｕｐｌｉｎｋ  Ｓｈａｒｅｄ  Ｃｈａｎｎｌｅ）が存在する。一般的に、ＰＵＣＣＨは、同期的な、低負荷、基本的なチャネル状態情報の伝送に用いられる。ＰＵＳＣＨは、バースト的な、高負荷、拡張的なチャネル状態情報の伝送に用いられる。ＰＵＣＣＨでは、１つの完全なチャネル状態情報は、異なるフィードバック内容からなる。当該異なるフィードバック内容は、異なるサブフレームにて伝送される。一方、ＰＵＳＣＨでは、１つのサブフレームにて、１つの完全なチャネル状態情報が伝送完了する。このような設計原則は、ＬＥＴ−Ａシステムにおいてそのまま援用されている。
【００３５】
フィードバックの内容は、チャネル品質インデックス（ＣＱＩ；Ｃｈａｎｎｅｌ  Ｑｕａｌｉｔｙ  Ｉｎｄｅｘ）と、チャネルのプリコーディング行列インデックス（ＰＭＩ；Ｐｒｅｃｏｄｉｎｇ  Ｍａｔｒｉｘ  Ｉｎｄｅｘ）と、チャネルのランクインデックス（ＲＩ；Ｒａｎｋ  Ｉｎｄｅｘ）との３種類に分けられる。この３種類の内容はいずれもビットとして量子化され、フィードバックされる。なお、通常、ＣＱＩは誤パケット化率０．１未満の１種類の伝送規格に対応している。
【００３６】
ＬＴＥシステムには、下りデータのＭＩＭＯ伝送方式が次の８種類として定義されている。
【００３７】
（１）シングルアンテナ発信
シングルアンテナを有する発信地点の信号発信に用いられるこの方式は、ＭＩＭＯシステムの特例であり、単層のデータしか伝送でない。
【００３８】
（２）発信ダイバシティ
ＭＩＭＯシステムにおいて時間および／または周波数ダイバシティの効果を利用して信号を発信し、信号の受信品質を向上させるこの方式は、単層のデータしか伝送でない。
【００３９】
（３）開ループ空間分割多重化
ユーザ装置からのＰＭＩフィードバックを必要としない空間分割多重化方式である。
（４）閉ループ空間分割多重化
ユーザ装置からのＰＭＩフィードバックを必要とする空間分割多重化方式である。
【００４０】
（５）マルチユーザＭＩＭＯ
複数のユーザが同時に、同周波数で、ＭＩＭＯシステムの下り通信に参与する。
【００４１】
（６）閉ループ単層プリコーディング
ＭＩＭＯシステムを利用する。ユーザ装置からのＰＭＩフィードバックを必要とし、単層のデータのみを伝送する。
【００４２】
（７）ビームフォーミング発信
ＭＩＭＯシステム、ビームフォーミング技術を利用する。ユーザ装置のデータ復調のための専用参照信号が付されており、ユーザ装置からのＰＭＩフィードバックを必要とせず、単層のデータのみを伝送する。
【００４３】
（８）２層ビームフォーミング発信
ユーザ装置は、ＰＭＩおよびＲＩをフィードバックするように構成されてもよく、ＰＭＩおよびＲＩをフィードバックしないように構成されてもよい。
【００４４】
前記のＭＩＭＯ伝送方式をサポートするために、ＬＴＥシステムには、チャネル状態情報のフィードバックモードが複数定義されている。ＭＩＭＯ伝送方式ごとに、チャネル状態情報の幾つかのフィードバックモードが対応付けられている。以下は詳しく説明する。
【００４５】
ＰＵＣＣＨに対応するチャネル状態情報フィードバックモードは、モード１−０、モード１−１、モード２−０、モード２−１の４種類がある。これらのモードは、下記４つのフィードバックタイプの組み合わせでもある。
【００４６】
＜タイプ１＞
帯域パート（ＢＰ；Ｂａｎｄ  Ｐａｒｔ。集合Ｓのサブ集合であり、大きさが集合Ｓの大きさにより決定される）のうちの好ましいサブ帯域位置、および該サブ帯域のＣＱＩに関連する（サブ帯域位置のオーバーヘッドはＬビットであり、最初のコードワードのＣＱＩのオーバーヘッドは４ビットであり、可能な２番目のコードワードのＣＱＩは、最初のコードワードのＣＱＩに対する差分エンコード方式が採用され、オーバーヘッドが３ビットである）。
【００４７】
＜タイプ２＞
ブロードバンドＣＱＩおよびブロードバンドＰＭＩに関連する（最初のコードワードのＣＱＩのオーバーヘッドは４ビットであり、可能な２番目のコードワードのＣＱＩは、最初のコードワードのＣＱＩに対する差分エンコード方式が採用され、オーバーヘッドが３ビットである。ＰＭＩのオーバーヘッドは、発信地点のアンテナ配置に応じて１、２、４ビットのいずれかとなる）。
【００４８】
＜タイプ３＞
ＲＩに関連する（発信地点のアンテナ配置に応じて、２つのアンテナの場合にはＲＩのオーバーヘッドは１ビットになり、４つのアンテナの場合にはＲＩのオーバーヘッドは２ビットになる）。
【００４９】
＜タイプ４＞ブロードバンドＣＱＩに関連する（オーバーヘッドは一律、４ビットである）。
【００５０】
ユーザ装置は、前記タイプの種類に応じて、異なる情報を発信地点にフィードバックする。
【００５１】
モード１−０は、タイプ３とタイプ４との組み合わせである。すなわち、タイプ３およびタイプ４として、フィードバックは、異なる周期および／または異なるサブフレームオフセット量で行われる。これは、集合Ｓにおける最初のコードワードのブロードバンドＣＱＩ、および可能なＲＩ情報をフィードバックすることを意味する。
【００５２】
モード１−１は、タイプ３とタイプ２との組み合わせである。すなわち、タイプ３およびタイプ２として、フィードバックは、異なる周期および／または異なるサブフレームオフセット量で行われる。これは、集合ＳにおけるブロードバンドＰＭＩ、各コードワードのブロードバンドＣＱＩ、および可能なＲＩ情報をフィードバックすることを意味する。
【００５３】
モード２−０は、タイプ３と、タイプ４と、タイプ１との組み合わせである。すなわち、タイプ３、タイプ４、およびタイプ１として、フィードバックは、異なる周期および／または異なるサブフレームオフセット量で行われる。これは、集合Ｓにおける最初のコードワードのブロードバンドＣＱＩと、可能なＲＩ情報と、ＢＰのうちの好ましいサブ帯域位置および該サブ帯域のＣＱＩ情報と、をフィードバックすることを意味する。
【００５４】
モード２−１は、タイプ３と、タイプ２と、タイプ１との組み合わせである。すなわち、タイプ３、タイプ２、およびタイプ１として、フィードバックは、異なる周期および／または異なるサブフレームオフセット量で行われる。これは、集合ＳにおけるブロードバンドＰＭＩと、各コードワードのブロードバンドＣＱＩと、可能なＲＩ情報と、ＢＰのうちの好ましいサブ帯域位置および該サブ帯域のＣＱＩ情報と、をフィードバックすることを意味する。
【００５５】
ＭＩＭＯ伝送方式と、チャネル状態情報フィードバックのモードとの対応関係は、次に示す。
【００５６】
ＭＩＭＯ伝送方式（１）：モード１−０、モード２−０
ＭＩＭＯ伝送方式（２）：モード１−０、モード２−０
ＭＩＭＯ伝送方式（３）：モード１−０、モード２−０
ＭＩＭＯ伝送方式（４）：モード１−１、モード２−１
ＭＩＭＯ伝送方式（５）：モード１−１、モード２−１
ＭＩＭＯ伝送方式（６）：モード１−１、モード２−１
ＭＩＭＯ伝送方式（７）：モード１−０、モード２−０
ＭＩＭＯ伝送方式（８）：モード１−１、モード２−１（ユーザ装置がＰＭＩ／ＲＩをフィードバックする）、または、モード１−０、モード２−０（ユーザ装置がＰＭＩ／ＲＩをフィードバックしない）
ＬＴＥ−Ａシステムにおける単独発信地点の伝送方式では、ＣＱＩ、ＰＭＩおよびＲＩは、依然として主なフィードバック内容である。また、ユーザ装置のフィードバックモードと、伝送方式（４）や（８）などに対応するフィードバックモードとを一致させ、且つ新伝送方式（９）であるＭＩＭＯ動的切替え（すなわち、発信地点がユーザ装置の動作を動的に調整できるＭＩＭＯ方式）、および伝送方式（１０）であるＣｏＭＰ伝送（すなわち、多発信地点協働通信）をサポートするために、ＬＴＥ−Ａシステムでは、重点的にモード１−１およびモード２−１に対し、発信地点に８つの発信アンテナが用いられる場合の最適化が行われている。すなわち、ＰＭＩは、２つのチャネルプリコーディング行列指示子であるＷ１およびＷ２の両方により決定される。Ｗ１は、ブロードバンド／ロングタイムというチャネル特性を表し、Ｗ２は、サブ帯域／ショートタイムというチャネル特性を表す。ＰＵＣＣＨでＷ１およびＷ２を伝送する場合、モード１−１は、さらに２種類のサブモード、すなわち、モード１−１のサブモード１およびモード１−１のサブモード２に細分化することができる。なお、基礎であるモード２−１にも改良が施されている。
【００５７】
新たに定義されたフィードバックモードをサポートするために、ＬＴＥ−Ａシステムでは、新たに幾つかのフィードバックのタイプが定義されている。
【００５８】
＜タイプ１ａ＞
帯域パート（ＢＰ；Ｂａｎｄ  Ｐａｒｔ）のうちの好ましいサブ帯域位置、および該サブ帯域のＣＱＩに関連しており、他のサブ帯域のＷ２が付加されている。前記帯域パートは、通信スペクトルリソースの集合Ｓ内の１つのサブ集合であり、大きさが集合Ｓの大きさにより決定される。サブ帯域位置のオーバーヘッドはＬビットである。ＣＱＩとＷ２との合計オーバーヘッドは、ＲＩ＝１の場合には８ビット、１＜ＲＩ＜５の場合には９ビット、ＲＩ＞４の場合には７ビットである。
【００５９】
＜タイプ２ａ＞
Ｗ１に関連する。Ｗ１のオーバーヘッドは、ＲＩ＜３の場合には４ビット、２＜ＲＩ＜８の場合には２ビット、ＲＩ＝８の場合には０ビットである。
【００６０】
＜タイプ２ｂ＞
ブロードバンドＷ２およびブロードバンドＣＱＩに関連する。ブロードバンドＷ２とブロードバンドＣＱＩとの合計オーバーヘッドは、ＲＩ＝１の場合には８ビット、１＜ＲＩ＜４の場合には１１ビット、ＲＩ＝４の場合には１０ビット、ＲＩ＞４の場合には７ビットである。
【００６１】
＜タイプ２ｃ＞
ブロードバンドＣＱＩ、Ｗ１およびブロードバンドＷ２に関連する。ブロードバンドＣＱＩと、Ｗ１と、ブロードバンドＷ２との合計オーバーヘッドは、ＲＩ＝１の場合には８ビット、１＜ＲＩ＜４の場合には１１ビット、ＲＩ＝４の場合には９ビット、ＲＩ＞４の場合には７ビットである。なお、フィードバックのオーバーヘッドを制御するために、ここのＷ１およびブロードバンドＷ２の値のサンプリング集合は、Ｗ１およびブロードバンドＷ２のサンプリング可能な値の全集合に対してダウンサンプリング処理をした後のもの（すなわち、前記全集合のサブ集合）である。
【００６２】
＜タイプ５＞
ＲＩおよびＷ１に関連する。ＲＩとＷＩとの合計オーバーヘッドは、アンテナが８つで、且つ２層データ多重化を用いる場合には４ビットであり、アンテナが８つで、且つ４つ/８層データ多重化を用いる場合には５ビットである。なお、フィードバックのオーバーヘッドを制御するために、ここのＷ１の値のサンプリング集合は、Ｗ１のサンプリング可能な値の全集合に対してダウンサンプリング処理をした後のものである。
【００６３】
＜タイプ６＞
ＲＩおよびプリコーディングタイプ指示子（ＰＴＩ；Ｐｒｅｃｏｄｉｎｇ  Ｔｙｐｅ  Ｉｎｄｉｃａｔｏｒ）に関連する。ＰＴＩのオーバーヘッドは、プリコーディングのタイプ情報を示す１ビットである。ＲＩとＰＴＩとの合計オーバーヘッドは、アンテナが８つで、且つ２層データ多重化を用いる場合には２ビットであり、アンテナが８つで、且つ４層データ多重化を用いる場合には３ビットであり、アンテナが８つで、且つ８層データ多重化を用いる場合には４ビットである。
【００６４】
なお、本明細書において、単に「Ｗ１」および「Ｗ２」と記載する場合は、「ブロードバンドＷ１」および「ブロードバンドＷ２」を意味する。「サブ帯域Ｗ２」について、言及される際はその全称で記載する。
【００６５】
モード１−１のサブモード１、モード１−１のサブモード２、および新モード２−１と、原のフィードバックタイプおよび前記新タイプとの対応関係を以下に示す。
【００６６】
モード１−１のサブモード１は、タイプ５とタイプ２ｂとの組み合わせである。すなわち、タイプ５およびタイプ２ｂとして、フィードバックは、異なる周期および／または異なるサブフレームオフセット量で行われる。
【００６７】
モード１−１のサブモード２は、タイプ３とタイプ２／２ｃとの組み合わせである。伝送方式が（４）または（８）である場合には、モード１−１のサブモード２は、タイプ３およびタイプ２からなる。すなわち、タイプ３およびタイプ２として、フィードバックは、異なる周期および／または異なるサブフレームオフセット量で行われる。また、伝送方式が（９）または（１０）である場合には、モード１−１のサブモード２は、タイプ３およびタイプ２ｃからなる。すなわち、タイプ３およびタイプ２ｃとして、フィードバックは、異なる周期および／または異なるサブフレームオフセット量で行われる。
【００６８】
新モード２−１は、伝送方式（９）または（１０）のみに対するモードであり、タイプ６と、タイプ２ｂと、タイプ２ａ／１ａとの組み合わせである。タイプ６におけるＰＴＩが「０」である場合には、新モード２−１はタイプ６と、タイプ２ｂと、タイプ２ａとからなる。すなわち、タイプ６、タイプ２ｂおよびタイプ２ａとして、フィードバックは、異なる周期および／または異なるサブフレームオフセット量で行われる。また、タイプ６におけるＰＴＩが「１」である場合には、新モード２−１はタイプ６と、タイプ２ｂと、タイプ１ａとからなる。すなわち、タイプ６、タイプ２ｂおよびタイプ１ａとして、フィードバックは、異なる周期および／または異なるサブフレームオフセット量で行われる。
【００６９】
ところで、２０１２年１１月に、アメリカのニューオーリンズ州で３ＧＰＰ組織によるＴＳＧＲＡＮ  ＷＧ１＃７１会議が開催された。この会議の要録によると、チャネル状態情報の１つのプロセス（ＣＳＩプロセス）の定義は、１つのチャネル状態情報参照信号リソース（ＣＳＩ−ＲＳ−Ｒ）および１つの干渉測定リソース（ＩＭＲ）により決定されるとされている。すなわち、ＣＳＩプロセスの信号部分は、ＣＳＩ−ＲＳ−Ｒの測定結果により決定され、ＣＳＩプロセスの干渉部分は、ＩＭＲの測定結果により決定される。ＣｏＭＰ伝送においては、発信地点はユーザのために複数のＣＳＩプロセスを設定する。また、或るＣＳＩプロセスのＲＩと、別のＣＳＩプロセスのＲＩとが一致するように設定してもよい。具体的には、或るＣＳＩプロセスをＲＩ参照型プロセス（ＲＩ−ｒｅｆｅｒｅｎｃｅ−ｐｒｏｃｅｓｓ）として定義すると、発信地点は、ＣｏＭＰ伝送が行われやすいように、ＲＩ参照型プロセスと同様のＲＩを継承または通知する別のＲＩ依存型ＣＳＩプロセス（ＲＩ−ｄｅｐｅｎｄｅｎｔ−ｐｒｏｃｅｓｓ）を設定してもよい。特に、新モード２−１では、ＲＩ参照型プロセスにおけるＲＩおよびＰＴＩの両方がＲＩ依存型プロセスに継承される。また、新モード１−１のサブモード１では、ＲＩおよびＷ１が同時に通知されるため、ＲＩ参照型プロセスおよびＲＩ依存型プロセスにおいてＲＩおよびＷ１を同時間に通知する場合には、ＲＩ参照型プロセスにおけるＲＩおよびＰＴＩの両方がＲＩ依存型プロセスに継承される。そして、ＲＩ参照型プロセスおよびＲＩ依存型プロセスにおいてＲＩおよびＷ１を異なる時間に通知する場合には、ＲＩ参照型プロセスにおけるＲＩのみがＲＩ依存型プロセスに継承される。なお、プロセス間の継承の合理性を確保するために、ＲＩ依存型プロセスとＲＩ参照型プロセスとは、フィードバックモードが一致しなければならず、アンテナのポート数も同様でなければならない。
【００７０】
ＲＩ継承による技術的効果は、主に非相関ＪＴおよび周波数領域ＤＰＳ/ＤＰＢの実行に利用される。これは、ＬＴＥおよびＬＴＥ−Ａシステムでは、ユーザ装置の１回分のデータ伝送におけるＲＩを、周波数領域において同一に維持しなければならないためである（非特許文献３を参照。３ＧＰＰ，Ｒ１−１２４６２５，「Ｒａｎｋ  ａｎｄ  Ｓｕｂｂａｎｄ  Ｉｎｈｅｒｉｔａｎｃｅ  ｂｅｔｗｅｅｎ  ＣＳＩ  Ｐｒｏｃｅｓｓｅｓ」，Ｅｒｉｃｓｓｏｎ（３ＧＰＰドキュメント，Ｎｏ．Ｒ１−１２４６２５，「ＣＳＩプロセス間のランクおよびサブ帯域の継承」，エリクソン社））。
【００７１】
将来の増強型４Ｇシステムは、相関ＪＴなどの伝送方法に関する研究、例えばチャネル状態情報フィードバックの新設計、発信地点選択のアルゴリズム、プリコーディングおよびパワー分配のアルゴリズムなどの研究が必要になってくる。なお、発信地点間の相対チャネル状態情報（例えば位相情報など）、または複数の発信地点の集積チャネル状態情報（例えば集積ＣＱＩなど）は、相関ＪＴ伝送をサポートする主なフィードバック内容である（非特許文献４を参照。３ＧＰＰ，Ｒ１−１２１３４９，「Ｃｏｍｐａｒｉｏｎ  ｂｅｔｗｅｅｎ  ｉｎｔｅｒ−ＣＳＩ−ＲＳ  ｃｏ−ｐｈａｓｅ  ａｎｄ  ａｇｇｒｅｇａｔｅｄ  ＣＱＩ」，ＳＨＡＲＰ（３ＧＰＰドキュメント，Ｎｏ．Ｒ１−１２１３４９，「ＣＳＩ−ＲＳ間における位相情報および集積ＣＱＩの比較」，シャープ社））。また、相関ＪＴをより良くサポートするためには、周波数領域におけるサブ帯域継承を考慮し、複数の発信地点からの信号を、同一周波数において相関的に重畳させる必要がある。
【００７２】
そのため、将来の増強型４Ｇシステムにおいては、現在のメカニズムとの互換性を持ち、複数種のＣｏＭＰ伝送をサポートするフィードバック方法を如何に設計するかが、１つの重要な発明研究課題となる。
〔発明の内容〕
本発明は、従来技術においてＪＴなどの伝送をサポートするチャネル状態情報フィードバック方法が欠如しているという問題に対し、新しいチャネル状態情報フィードバック方法およびユーザ装置を提供することを目的とする。
【００７３】
上記の目的を実現するために、本発明の第１態様によれば、発信地点が設定した、マルチアンテナ・多発信地点協働に参与するＣＳＩプロセス集合を、ユーザ装置が取得するステップと、発信地点がＣＳＩプロセス集合内のＣＳＩプロセスに対して設定したサブ帯域（ＳＢ）継承を、ユーザ装置が取得するステップと、ユーザ装置が、ＣＳＩプロセスに対する設定に基づいてＣＳＩを算出するステップと、ユーザ装置が、算出されたＣＳＩを発信地点にフィードバックするステップと、を含むチャネル状態情報フィードバック方法を提供する。
【００７４】
好ましくは、本発明の第１態様に係る方法は、発信地点がＣＳＩプロセス集合内のＣＳＩプロセスに対して設定したランク指示子（ＲＩ）継承をユーザ装置が取得するステップをさらに含む。
【００７５】
好ましくは、ＣＳＩプロセスがＳＢ依存型プロセスとして設定される場合には、当該ＣＳＩプロセスは、ＳＢ参照型プロセスと同様のＳＢを継承し、ＣＳＩプロセスがＲＩ依存型プロセスとして設定される場合には、当該ＣＳＩプロセスは、ＲＩ参照型プロセスと同様のＲＩを継承する。
【００７６】
好ましくは、非多地点協調（ＣｏＭＰ）による伝送をサポートするためのＣＳＩプロセスに対しては、いかなる継承も設定しない。非相関連合発信（ＪＴ）による伝送、および周波数領域における動的発信地点選択／動的発信地点空白化（ＤＰＳ／ＤＰＢ）による伝送をサポートするためのＣＳＩプロセスに対しては、ＲＩ継承を設定し、ＳＢ継承を設定しない。独立型多地点伝送をサポートするためのＣＳＩプロセスに対しては、ＲＩ継承を設定せず、ＳＢ継承を設定する。および／または、相関ＪＩによる伝送をサポートするためのＣＳＩプロセスに対しては、ＲＩ継承およびＳＢ継承を設定する。
【００７７】
好ましくは、ＳＢ参照型プロセスおよびＳＢ依存型プロセスにおいてＳＢ情報および他のＣＳＩを同時間に通知する必要がある場合には、ユーザ装置は、ＳＢ参照型プロセスに関するＣＳＩのみを算出し通知する。
【００７８】
好ましくは、ＳＢ参照型プロセスおよびＳＢ依存型プロセスにおいてＳＢ情報および他のＣＳＩを異なる時間に通知する必要がある場合には、ＳＢ依存型プロセスに関する通知情報の算出は、直近に継承されたＳＢ情報に基づいて行われる。
【００７９】
好ましくは、ＳＢ参照型プロセスおよび対応のＳＢ依存型プロセスによるＪＴ伝送を想定し、ＳＢ参照型プロセスのＳＢ選択を算出する。
【００８０】
好ましくは、ＳＢ依存型プロセスとして設定され、ＲＩ依存型プロセスとして設定されていないＣＳＩプロセスに対して、新モード２−１における新フィードバックタイプ１ａを形成し、ＳＢ参照型プロセスから継承されるサブ帯域位置をフィードバックしない。
【００８１】
好ましくは、サブ帯域チャネル品質指示子（ＣＱＩ）が、ユーザ装置が干渉を除去した後のＣＱＩであり、ユーザ装置が干渉を除去する順番は、固定の順番、または発信地点がＲＲＣまたはＭＡＣシグナリングを用いてユーザ装置へ設定した順番である。
【００８２】
選択可能な形態として、ＳＢ依存型プロセスにおけるサブ帯域ＣＱＩの数と、ＳＢ参照型プロセスにおけるサブ帯域ＣＱＩの数とは異なる。
【００８３】
好ましくは、ＳＢ依存型プロセスおよびＲＩ参照型プロセスとして設定されたＣＳＩプロセスに対し、新モード２−１における新フィードバックタイプ１ａを形成し、ＳＢ参照型プロセスから継承されるサブ帯域位置をフィードバックし、またはフィードバックしない。
【００８４】
選択可能な形態として、新フィードバックタイプ１ａでのフィードバック内容には、ＳＢ参照型プロセスにおけるサブ帯域位置と同様のサブ帯域位置、サブ帯域Ｗ２、およびサブ帯域ＣＱＩが含まれる。
【００８５】
選択可能な形態として、新フィードバックタイプ１ａでのフィードバック内容には、ＳＢ参照型プロセスにおけるサブ帯域位置と同様のサブ帯域位置、サブ帯域Ｗ２、および集積ＣＱＩが含まれる。
【００８６】
選択可能な形態として、新フィードバックタイプ１ａでのフィードバック内容には、サブ帯域Ｗ２およびサブ帯域ＣＱＩのみが含まれ、前記ＣＳＩプロセスにおけるサブ帯域位置は、ＳＢ参照型プロセスにおけるサブ帯域位置と同様であり、フィードバックされない。
【００８７】
選択可能な形態として、新フィードバックタイプ１ａでのフィードバック内容には、サブ帯域Ｗ２、ＳＢ依存型プロセスとＳＢ参照型プロセスとの相対位相情報、および集積ＣＱＩが含まれ、前記ＣＳＩプロセスにおけるサブ帯域位置は、ＳＢ参照型プロセスにおけるサブ帯域位置と同様であり、フィードバックされない。
【００８８】
選択可能な形態として、新フィードバックタイプ１ａでのフィードバック内容には、サブ帯域Ｗ２、ＳＢ依存型プロセスとＳＢ参照型プロセスとの相対位相情報、およびサブ帯域ＣＱＩが含まれ、前記ＣＳＩプロセスにおけるサブ帯域位置は、ＳＢ参照型プロセスにおけるサブ帯域位置と同様であり、フィードバックされない。
【００８９】
選択可能な形態として、新フィードバックタイプ１ａでのフィードバック内容には、サブ帯域Ｗ２、サブ帯域ＣＱＩおよび集積ＣＱＩが含まれ、前記ＣＳＩプロセスにおけるサブ帯域位置は、ＳＢ参照型プロセスにおけるサブ帯域位置と同様であり、フィードバックされない。また、好ましくは、前記集積ＣＱＩと前記サブ帯域ＣＱＩとの差分エンコードを行う。
【００９０】
選択可能な形態として、新フィードバックタイプ１ａでのフィードバック内容には、サブ帯域Ｗ２および集積ＣＱＩが含まれ、前記ＣＳＩプロセスにおけるサブ帯域位置は、ＳＢ参照型プロセスにおけるサブ帯域位置と同様であり、フィードバックされない。
【００９１】
選択可能な形態として、新フィードバックタイプ１ａでのフィードバック内容には、増強されたサブ帯域Ｗ２および集積ＣＱＩが含まれ、前記ＣＳＩプロセスにおけるサブ帯域位置は、ＳＢ参照型プロセスにおけるサブ帯域位置と同様であり、フィードバックされない。
【００９２】
選択可能な形態として、新フィードバックタイプ１ａでのフィードバック内容には、増強されたサブ帯域Ｗ２およびサブ帯域ＣＱＩが含まれ、前記ＣＳＩプロセスにおけるサブ帯域位置は、ＳＢ参照型プロセスにおけるサブ帯域位置と同様であり、フィードバックされない。
【００９３】
選択可能な形態として、新フィードバックタイプ１ａは、予め設定されているタイプ、または、発射地点が、複数のタイプ様式からなるサブ集合の中から選択し、ＲＲＣまたはＭＡＣシグナリングを用いてユーザ装置へ設定したタイプである。
【００９４】
選択可能な形態として、前記相対位相情報は、１つまたは複数の位相値である。
【００９５】
選択可能な形態として、前記集積ＣＱＩには、マルチデータストリームのＪＴ伝送をサポートするために、複数のＣＱＩ値が含まれる。
【００９６】
好ましくは、ＳＢ参照型プロセスおよびＳＢ依存型プロセスによるＪＴ伝送を想定し、集積ＣＱＩを算出する。
【００９７】
本発明の第２態様によれば、発信地点が設定した、マルチアンテナ・多発信地点協働に参与するＣＳＩプロセス集合を取得するＣＳＩプロセス集合取得ユニットと、発信地点がＣＳＩプロセス集合内のＣＳＩプロセスに対して設定したサブ帯域（ＳＢ）継承を取得する継承設定取得ユニットと、ＣＳＩプロセスに対する設定に基づいてＣＳＩを算出するＣＳＩ算出ユニットと、算出されたＣＳＩを発信地点にフィードバックするＣＳＩフィードバックユニットとを含むユーザ装置を提供する。
【００９８】
好ましくは、前記継承設定取得ユニットは、さらに、発信地点がＣＳＩプロセス集合内のＣＳＩプロセスに対して設定したランク指示子（ＲＩ）継承を取得する。
【００９９】
好ましくは、ＳＢ参照型プロセスおよびＳＢ依存型プロセスにおいてＳＢ情報および他のＣＳＩを同時間に通知する必要がある場合には、前記ＣＳＩ算出ユニットは、ＳＢ参照型プロセスに関するＣＳＩのみを算出する。
【０１００】
好ましくは、ＳＢ参照型プロセスおよびＳＢ依存型プロセスにおいてＳＢ情報および他のＣＳＩを異なる時間に通知する必要がある場合には、前記ＣＳＩ算出ユニットは、直近に継承されたＳＢ情報に基づいて、ＳＢ依存型プロセスに関する通知情報を算出する。
【０１０１】
好ましくは、前記ＣＳＩ算出ユニットは、ＳＢ参照型プロセスおよび対応のＳＢ依存型プロセスによるＪＴ伝送を想定し、ＳＢ参照型プロセスのＳＢ選択を算出する。
【０１０２】
好ましくは、ＳＢ依存型プロセスとして設定され、ＲＩ依存型プロセスとして設定されていないＣＳＩプロセスに対し、前記ＣＳＩフィードバックユニットは、新モード２−１における新フィードバックタイプ１ａを採用してフィードバックを行い、前記新フィードバックタイプ１ａでのフィードバック内容には、ＳＢ参照型プロセスから継承されるサブ帯域位置が含まれない。
【０１０３】
好ましくは、ＳＢ依存型プロセスおよびＲＩ参照型プロセスとして設定されたＣＳＩプロセスに対し、前記ＣＳＩフィードバックユニットは、新モード２−１における新フィードバックタイプ１ａを採用してフィードバックを行い、前記新フィードバックタイプ１ａでのフィードバック内容には、ＳＢ参照型プロセスから継承されるサブ帯域位置が含まれ、または含まれない。
【０１０４】
好ましくは、前記ＣＳＩ算出ユニットは、ＳＢ参照型プロセスおよびＳＢ依存型プロセスによるＪＴ伝送を想定し、集積ＣＱＩを算出する。
【０１０５】
本発明に係るチャネル状態情報フィードバック方法およびユーザ装置によれば、システムのスループットが大きく、実現が簡単であり、シグナリングのオーバーヘッドが少ないという優れた点を有する。
〔具体的な実施形態〕
以下は、本発明の好ましい実施例を図面に基づいて詳細に説明する。なお、以下の説明では、本発明の理解が混同されないように、本発明に必須でない細部および機能の説明を省略する。
【０１０６】
本発明を実現するステップを明確、詳細に説明するために、以下は、下りＬＴＥ−Ａセルラ通信システムに適用される本発明の具体的な実施列を示す。なお、本発明は、実施例に記載される適用に限定されるものではなく、他の通信システム、例えば今後の５Ｇシステムにも適用可能である。また、本明細書に言及されるフィードバックモードおよびフィードバックタイプの称呼は、他の通信システムと対応するように変更し得る。
【０１０７】
図５は、多セル型セルラ通信システムを示す模式図である。セルラシステムでは、そのサービスのカバーエリアが、互いに隣接する無線カバー区域、すなわちセルとして分割されている。図５には、セルは正六角形として示され、サービスエリア全体はセル１００〜１０４から組み合わさったものとなる。セル１００〜１０４に関連する発信地点２００〜２０４のそれぞれは、本分野で公知されているように、少なくとも１つの発信機および１つの受信機を含む。なお、前記発信地点の最も基本的な定義範疇は、セル内のサービスノードであり、例えばリソースのスケジューリング機能を有する独立の基地局、または独立の基地局に属している発信ノード、または中継ノード（通常では、セルのカバー範囲をさらに拡大するために設置される）等であってもよい。また、背景技術の説明、および後述実施例の記載のように、発信地点は、前記サービスノードのポートの各種の組み合わせであってもよい。図５では、発信地点２００〜２０４は、セル１００〜１０４の某領域に配置され、且つ全方向性アンテナが設けられているように模式的に図示されている。しかし、セルラ通信システムのセルのレイアウトにおいては、セル１００〜１０４のセクタと呼ばれる局部領域を指向的にカバーする指向性アンテナを、発信地点２００〜２０４に配置してもよい。したがって、図５に示す多セル型セルラ通信システムは、あくまでも模式的なものであり、セルラシステムにおいて本発明を実施するのに上記のような制限的な特定条件が必要であるということを意味するものではない。
【０１０８】
図５の発信地点２００〜２０４は、Ｘ２インターフェース３００〜３０４を介して互いに接続する。なお、ＬＴＥ−Ａシステムでは、発信地点、無線ネットワーク制御ユニットおよびコアネットワークからなる３重ノード型ネットワーク構造が、２重ノード構造に簡略化されている。うちの無線ネットワーク制御ユニットの機能は、発信地点へ割り当てられ、発信地点同士が「Ｘ２」と呼ばれる有線インターフェースを介して協調および通信を行う。
【０１０９】
図５において、発信地点２００〜２０４の間には、互いに接続された空間的インターフェースである「Ａ１インターフェース」３１０〜３１４が存在する。将来の通信システムには、互いに無線インターフェースを介して接続される中継ノードの概念が導入される可能性がある。また、発信地点も一種の特殊な中継ノードであると考えられる。そのため、今後は、発信地点同士の間に、協調および通信を行うための「Ａ１」と呼ばれる無線インターフェースが存在するようになるかもしれない。
【０１１０】
図５に示すように、発信地点２００〜２０４の上層実体部２２０（ゲートウェイであってもよく、モバイル管理の実体部などの別のネットワーク実体部であってもよい）は、Ｓ１インターフェース３２０〜３２４を介して発信地点２００〜２０４と接続する。なお、ＬＴＥ−Ａシステムでは、上層実体部と発信地点とは、「Ｓ１」と呼ばれる有線インターフェースを介して協調および通信を行う。
【０１１１】
図５のように、セル１００〜１０４内に複数のユーザ装置４００〜４０３が散在している。ユーザ装置４００〜４３０の各々には、本分野で公知されているように、発信機、受信機およびモバイル端末制御ユニットが含まれている。ユーザ装置４００〜４３０は、自機にサービスを提供するサービス発信地点（発信地点２００〜２０４のうちのいずれか）を介して、セルラ通信システムへアクセスする。なお、図５には１６個のユーザ装置が模式的に示されているが、実際にはユーザ装置の数量が非常に膨大であることは理解できる。この意味では、図５に示すユーザ装置は、あくまでも例示が目的である。ユーザ装置４００〜４３０は、自機にサービスを提供する発信地点２００〜２０４を介してセルラ通信システムへアクセスする。ユーザ装置に直接に通信サービスを提供する発信地点を該ユーザ装置のサービス発信地点と称し、他の発信地点を該ユーザ装置の非サービス発信地点と称する。非サービス発信地点は、サービス発信地点の協働発信地点として、共同でユーザ装置に通信サービスを提供してもよい。
【０１１２】
本実施例の説明にあたり、ユーザ装置４１６を多発信地点協働モード下で動作するものとし、そのサービス発信地点を発信地点２０２とし、その非サービス発信地点を発信地点２００および２０４とする。なお、本実施例では、ユーザ装置４１６を重点的に考えるが、本発明が１つのユーザ装置にしか適用できないことを意味するものではない。実際には、本発明は複数のユーザ装置の場合に問題なく適用可能であり、例えば図５のようなユーザ装置４０８、４１０、４３０等の場合でも、本発明の方法を用いることができる。勿論、実施場面においてサービス発信地点を１つとし、非サービス発信地点を２つとする場合も、本発明にこのような限定条件が必須であることを意味するものではなく、サービス発信地点および非サービス発信地点の数量は特に限定されない。
【０１１３】
図６は本発明に係る方法のフローチャート図である。以下、図６に基づいて本発明の実施過程を説明する。なお、本実施例の説明にあたり、下記の多発信地点協働の場面を想定する。
【０１１４】
＜実施例における場面＞
ユーザ装置４１６を多発信地点協働モード下で動作するものとし、そのサービス発信地点を発信地点２０２とし、その非サービス発信地点を発信地点２００および２０４とする。ユーザ装置４１６は、シングルアンテナまたはマルチアンテナを有する装置である。
【０１１５】
ステップＳ６００において、ユーザ装置が、発信地点が設定した、マルチアンテナ・多発信地点協働に参与するＣＳＩプロセス集合を取得する。
【０１１６】
該ステップでは、通常、ユーザ装置は、マルチアンテナ・多発信地点協働に参与するＣＳＩプロセス集合を、サービス発信地点または他の発信地点から取得する必要がある。該ステップの限定的でない実施形態として、ユーザ装置（例えばユーザ装置４１６）は、サービス発信地点（例えばサービス発信地点２０２）に対し、ユーザ装置から隣接発信地点までのルートの損失情報を周期的に通知する。また、サービス発信地点は、対応の通知からユーザ装置の地理的位置を推測し、この地理的位置に基づき、マルチアンテナ・多発信地点協働に参与するＣＳＩプロセス集合を特定し、そして、例えば無線リソース制御（ＲＲＣ；Ｒａｄｉｏ  Ｒｅｓｏｕｒｃｅ  Ｃｏｎｔｒｏｌ）などの上層シグナリング、またはメディアアクセス制御（ＭＡＣ；Ｍｅｄｉａ  Ａｃｃｅｓｓ  Ｃｏｎｔｒｏｌ）などの層シグナリングを用いて、ユーザ装置のためにＣＳＩプロセス集合を準静的（ｓｅｍｉ  ｓｔａｔｉｃ）に設定することができる。以下は、発信地点の集合に２つまたは３つのＣＳＩプロセスが含まれる場合について、ＣＳＩプロセス集合の非限定的な３つの例を挙げる。
【０１１７】
＜例１（ａ）＞
サービス発信地点２０２がユーザ装置４１６のために設定するＣＳＩプロセス集合に、２つのＣＳＩプロセスが含まれている。この２つのＣＳＩプロセスとしては、（１）発信地点２０２のポート０〜７で計８つのポートのＣＳＩ−ＲＳ−Ｒと、発信地点２０２以外の信号強度を測定するためのＩＭＲとに基づくＣＳＩプロセス＃１、および、（２）発信地点２００のポート０〜７で計８つのポートのＣＳＩ−ＲＳ−Ｒと、発信地点２００以外の信号強度を測定するためのＩＭＲとに基づくＣＳＩプロセス＃２であってもよい。
【０１１８】
＜例１（ｂ）＞
サービス発信地点２０２がユーザ装置４１６のために設定するＣＳＩプロセス集合に、３つのＣＳＩプロセスが含まれている。この３つのＣＳＩプロセスとしては、（１）発信地点２０２のポート０〜７で計８つのポートのＣＳＩ−ＲＳ−Ｒと、発信地点２０２以外の信号強度を測定するためのＩＭＲとに基づくＣＳＩプロセス＃１、および、（２）発信地点２００のポート０〜７で計８つのポートのＣＳＩ−ＲＳ−Ｒと、発信地点２００以外の信号強度を測定するためのＩＭＲとに基づくＣＳＩプロセス＃２、および、（３）発信地点２０４のポート０〜７で計８つのポートのＣＳＩ−ＲＳ−Ｒと、発信地点２０４以外の信号強度を測定するためのＩＭＲとに基づくＣＳＩプロセス＃３であってもよい。
【０１１９】
＜例１（ｃ）＞
サービス発信地点２０２がユーザ装置４１６のために設定するＣＳＩプロセス集合に、３つのＣＳＩプロセスが含まれている。この３つのＣＳＩプロセスとしては、（１）発信地点２０２のポート０〜７で計８つのポートのＣＳＩ−ＲＳ−Ｒと、発信地点２０２以外の信号強度を測定するためのＩＭＲとに基づくＣＳＩプロセス＃１、および、（２）発信地点２００のポート０〜７で計８つのポートのＣＳＩ−ＲＳ−Ｒと、発信地点２００以外の信号強度を測定するためのＩＭＲとに基づくＣＳＩプロセス＃２、および、（３）発信地点２００のポート０〜７で計８つのポートのＣＳＩ−ＲＳ−Ｒと、発信地点２００および２０２以外の信号強度を測定するためのＩＭＲとに基づくＣＳＩプロセス＃３であってもよい。
【０１２０】
ステップＳ６０２において、ユーザ装置が、発信地点がＣＳＩプロセス集合内のＣＳＩプロセスに対して設定したＳＢ継承および可能なＲＩ継承を取得する。
【０１２１】
該ステップでは、ユーザ装置は、サービス発信地点または他の発信地点がＲＲＣまたはＭＡＣシグナリングを用いてユーザ装置のＣＳＩプロセス集合内のそれぞれのＣＳＩプロセスに設定したサブ帯域継承および可能なＲＩ継承を取得する。
【０１２２】
好ましくは、或るＣＳＩプロセスのＳＢを、別のＣＳＩプロセスのＳＢと一致するように設定してもよい。具体的には、或るＣＳＩプロセスをＳＢ参照型プロセスとして定義し、発信地点が、ＳＢ参照型プロセスと同様のＳＢを継承する別のＳＢ依存型ＣＳＩプロセスを設定してもよい。
【０１２３】
好ましくは、或るＣＳＩプロセスに対し、いかなる継承も設定しない。これにより、当該ＣＳＩプロセスは、主に、非ＣｏＭＰによる伝送のサポートに用いられる。
【０１２４】
好ましくは、或るＣＳＩプロセスに対し、ＲＩ継承を設定してサブ帯域継承を設定しない。これにより、当該ＣＳＩプロセスは、主に、非相関ＪＴによる伝送、および周波数領域におけるＤＰＳ／ＤＰＢによる伝送のサポートに用いられる。
【０１２５】
好ましくは、或るＣＳＩプロセスに対し、ＲＩ継承を設定せず、サブ帯域継承を設定する。これにより、当該ＣＳＩプロセスは、主に独立型多地点伝送のサポートに用いられる。なお、独立型多地点伝送とは、ＣｏＭＰ技術の一種であり、異なるデータを複数の地点が伝送し、畳み込まれたデータパケットをユーザ装置の新鋭受信機が復調する方法である。この方法によれば、１ユーザあたりのスループットを向上させることができる。
【０１２６】
好ましくは、或るＣＳＩプロセスに対してＲＩ継承およびサブ帯域継承を設定する。これにより、当該ＣＳＩプロセスは、主に、相関ＪＴによる伝送のサポートに用いられる。
【０１２７】
以下は、発信地点の集合に２つまたは３つのＣＳＩプロセスが含まれる場合について、ＲＩ継承およびサブ帯域継承を設定する非限定的な４つの例を挙げる。
【０１２８】
＜例２（ａ）＞
サービス発信地点２０２がユーザ装置４１６のために設定するＣＳＩプロセス集合に、２つのＣＳＩプロセスが含まれている。ＣＳＩプロセス＃１に対しては、いかなる継承も設定しない。ＣＳＩプロセス＃２に対しては、ＣＳＩプロセス＃１に関するＲＩ継承を設定する。これにより、ＣＳＩプロセス＃１は、ＣＳＩプロセス＃２に係るＲＩ参照型プロセスとなり、ＣＳＩプロセス＃２は、ＣＳＩプロセス＃１に係るＲＩ依存型プロセスとなる。
【０１２９】
＜例２（ｂ）＞
サービス発信地点２０２がユーザ装置４１６のために設定するＣＳＩプロセス集合に、３つのＣＳＩプロセスが含まれている。ＣＳＩプロセス＃１に対しては、いかなる継承も設定しない。ＣＳＩプロセス＃２に対しては、ＣＳＩプロセス＃１に関するＲＩ継承およびサブ帯域継承を設定する。これにより、ＣＳＩプロセス＃１は、ＣＳＩプロセス＃２に係るＲＩ参照型プロセスおよびＳＢ参照型プロセスとなり、ＣＳＩプロセス＃２は、ＣＳＩプロセス＃１に係るＲＩ依存型プロセスおよびＳＢ依存型プロセスとなる。そして、ＣＳＩプロセス＃３に対しては、ＣＳＩプロセス＃１に関するＲＩ継承およびサブ帯域継承を設定する。これにより、ＣＳＩプロセス＃１は、ＣＳＩプロセス＃３に係るＲＩ参照型プロセスおよびＳＢ参照型プロセスとなり、ＣＳＩプロセス＃３は、ＣＳＩプロセス＃１に係るＲＩ依存型プロセスおよびＳＢ依存型プロセスとなる。
【０１３０】
＜例２（ｃ）＞
サービス発信地点２０２がユーザ装置４１６のために設定するＣＳＩプロセス集合に、３つのＣＳＩプロセスが含まれている。ＣＳＩプロセス＃１に対しては、いかなる継承も設定しない。ＣＳＩプロセス＃２に対しては、ＣＳＩプロセス＃１に関するＲＩ継承およびサブ帯域継承を設定する。これにより、ＣＳＩプロセス＃１は、ＣＳＩプロセス＃２に係るＲＩ参照型プロセスおよびＳＢ参照型プロセスとなり、ＣＳＩプロセス＃２は、ＣＳＩプロセス＃１に係るＲＩ依存型プロセスおよびＳＢ依存型プロセス（サブ帯域依存型プロセス）となる。そして、ＣＳＩプロセス＃３に対しては、ＣＳＩプロセス＃１に関するサブ帯域継承を設定する。これにより、ＣＳＩプロセス＃１は、ＣＳＩプロセス＃３に係るＳＢ参照型プロセスとなり、ＣＳＩプロセス＃３は、ＣＳＩプロセス＃１に係るＳＢ依存型プロセスとなる。
【０１３１】
＜例２（ｄ）＞
サービス発信地点２０２がユーザ装置４１６のために設定するＣＳＩプロセス集合に、３つのＣＳＩプロセスが含まれている。ＣＳＩプロセス＃１に対しては、いかなる継承も設定しない。ＣＳＩプロセス＃２に対しては、いかなる継承も設定しない。そして、ＣＳＩプロセス＃３に対しては、ＣＳＩプロセス＃２に関するサブ帯域継承を設定する。これにより、ＣＳＩプロセス＃２は、ＣＳＩプロセス＃３に係るＳＢ参照型プロセスとなり、ＣＳＩプロセス＃３は、ＣＳＩプロセス＃２に係るＳＢ依存型プロセスとなる。
【０１３２】
ステップＳ６０４において、ユーザ装置が、ＣＳＩプロセスの設定に基づき、チャネル状態情報を算出する。
【０１３３】
好ましくは、新モード２−１下で、ＳＢ参照型プロセスおよびＳＢ依存型プロセスにおいてＳＢ情報および他のチャネル状態情報を同時間に通知する必要がある場合には、ユーザ装置は、ＳＢ参照型プロセスに関するチャネル状態情報のみを算出し通知する。
【０１３４】
好ましくは、新モード２−１下で、ＳＢ参照型プロセスおよびＳＢ依存型プロセスにおいてＳＢ情報および他のチャネル状態情報を異なる時間に通知する必要がある場合には、ＳＢ依存型プロセスに関する通知情報の算出は、直近に継承されたＳＢ情報に基づいて行われる。
【０１３５】
好ましくは、新モード２−１下で、ＳＢ参照型プロセスのＳＢ選択の算出は、ＳＢ参照型プロセスおよび対応のＳＢ依存型プロセスによるＪＴ伝送の想定に基づいて、行われる。
【０１３６】
ステップＳ６０６において、ユーザ装置が、チャネル状態情報を発信地点にフィードバックする。
【０１３７】
以下は、チャネル状態情報のフィードバックモードの幾つかの例を具体的に説明する。
【０１３８】
＜例３（ａ）＞
ユーザ装置４１６に対して設定されるＣＳＩプロセス集合に２つのＣＳＩプロセスが含まれると想定する。ＣＳＩプロセス＃１に対しては、いかなる継承も設定しない。ＣＳＩプロセス＃２に対しては、ＣＳＩプロセス＃１に関するＳＢ継承を設定する。これにより、ＣＳＩプロセス＃１は、ＣＳＩプロセス＃２に係るＳＢ参照型プロセスとなり、ＣＳＩプロセス＃２は、ＣＳＩプロセス＃１に係るＳＢ依存型プロセスとなる。ＣＳＩプロセス＃１でのフィードバックとしては、従来のシステムにおけるフィードバック設計を変更せずにそのまま用いる。ＣＳＩプロセス＃２でのフィードバックとしては、本発明は下記の方法を提供する。
【０１３９】
ＲＩ継承の処理が存在しないため、タイプ６のフィードバックは変更しない。
【０１４０】
分岐（１）：ＰＴＩ＝０の場合、タイプ２ａおよびタイプ２ｂについて考える。ＲＩ継承の処理がないため、タイプ２ａおよびタイプ２ｂのフィードバックは変更しない。
【０１４１】
分岐（２）：ＰＴＩ＝１の場合、タイプ２ａおよびタイプ１ａについて考える。ＲＩ継承の処理がないため、タイプ２ｂのフィードバックは変更しない。
【０１４２】
新モード２−１の第３要素であるタイプ１ａでは、サブ帯域位置は、ＣＳＩプロセス＃１におけるサブ帯域位置を継承しているため、フィードバックされなくてもよい。これにより新タイプ１ａを形成する。なお、サブ帯域ＣＱＩは、ユーザ装置が干渉を除去した後のＣＱＩであることが望ましい。また、ユーザ装置が干渉を除去する順番は、例えばＳＢ参照型プロセスを優先とし、ＳＢ依存型プロセスを次とする固定の順番であってもよく、発信地点がＲＲＣまたはＭＡＣを用いて設定してもよい。さらに、ＲＩ継承の処理が存在しないため、ＣＳＩプロセス＃２におけるサブ帯域ＣＱＩの数と、ＣＳＩプロセス＃１におけるサブ帯域ＣＱＩの数とが異なってもよい。
【０１４３】
＜例３（ｂ）＞
ユーザ装置４１６に対して設定されるＣＳＩプロセス集合に３つのＣＳＩプロセスが含まれると想定する。ＣＳＩプロセス＃１に対しては、いかなる継承も設定しない。ＣＳＩプロセス＃２に対しては、ＣＳＩプロセス＃１に関するＲＩ継承およびサブ帯域継承を設定する。ＣＳＩプロセス＃３に対しても、ＣＳＩプロセス＃１に関するＲＩ継承およびサブ帯域継承を設定する。そして、ＣＳＩプロセス＃１でのフィードバックとしては、従来のシステムにおけるフィードバック設計を変更せずにそのまま用いる。ＣＳＩプロセス＃２または＃３でのフィードバックとしては、本発明は下記の方法を提供する。
【０１４４】
ＲＩ継承の処理が存在するため、タイプ６のフィードバックは従来のシステム設計を援用する。すなわち、ＣＳＩプロセス＃１のＲＩおよびＰＴＩの両方が、ＣＳＩプロセス＃２または＃３へ継承される。
【０１４５】
分岐（１）：ＰＴＩ＝０の場合、タイプ２ａおよびタイプ２ｂについて考える。サブ帯域継承の処理に関与していないため、タイプ２ａおよびタイプ２ｂのフィードバックは変更しない。
【０１４６】
分岐（２）：ＰＴＩ＝１の場合、タイプ２ａおよびタイプ１ａについて考える。サブ帯域継承の処理に関与していないため、タイプ２ｂのフィードバックは変更しない。
【０１４７】
新モード２−１の第３要素であるタイプ１ａでは、サブ帯域位置は、ＣＳＩプロセス＃１におけるサブ帯域位置を継承しているため、フィードバックされなくても、フィードバックされてもよい。これにより、ＪＴによる伝送をサポートする新タイプ１ａを形成する。
【０１４８】
新タイプ１ａは、次のような９通りの設計であってもよい。
【０１４９】
（ｉ）新タイプ１ａでのフィードバック内容は、従来の設計と同様で、すなわちサブ帯域位置、サブ帯域Ｗ２およびサブ帯域ＣＱＩである。但し、サブ帯域位置が、ＣＳＩプロセス＃１におけるサブ帯域位置と同様でなければならない。
【０１５０】
（ｉｉ）新タイプ１ａに、サブ帯域位置、サブ帯域Ｗ２および集積ＣＱＩが含まれる。但し、サブ帯域位置が、ＣＳＩプロセス＃１におけるサブ帯域位置と同様でなければならない。
【０１５１】
（ｉｉｉ）新タイプ１ａに、サブ帯域Ｗ２およびサブ帯域ＣＱＩのみが含まれる。そのサブ帯域位置は、ＣＳＩプロセス＃１におけるサブ帯域位置と同様であり、フィードバックされる必要がない。
【０１５２】
（ｉｖ）新タイプ１ａに、サブ帯域Ｗ２、ＣＳＩプロセス＃２または＃３とＣＳＩプロセス＃１との相対位相情報、および集積ＣＱＩが含まれる。そのサブ帯域位置は、ＣＳＩプロセス＃１におけるサブ帯域位置と同様であり、フィードバックされる必要がない。
【０１５３】
（ｖ）新タイプ１ａに、サブ帯域Ｗ２、ＣＳＩプロセス＃２または＃３とＣＳＩプロセス＃１との相対位相情報、およびサブ帯域ＣＱＩが含まれる。そのサブ帯域位置は、ＣＳＩプロセス＃１におけるサブ帯域位置と同様であり、フィードバックされる必要がない。
【０１５４】
（ｖｉ）新タイプ１ａに、サブ帯域Ｗ２、サブ帯域ＣＱＩおよび集積ＣＱＩが含まれる。そのサブ帯域位置は、ＣＳＩプロセス＃１におけるサブ帯域位置と同様であり、フィードバックされる必要がない。また、フィードバックのオーバーヘッドを低減させるために、集積ＣＱＩとサブ帯域ＣＱＩとの差分エンコードを行い、すなわち、実際の集積ＣＱＩからサブ帯域ＣＱＩを差し引いたものを集積ＣＱＩとしてフィードバックしてもよい。
【０１５５】
（ｖｉｉ）新タイプ１ａに、サブ帯域Ｗ２および集積ＣＱＩが含まれる。そのサブ帯域位置は、ＣＳＩプロセス＃１におけるサブ帯域位置と同様であり、フィードバックされる必要がない。
【０１５６】
（ｖｉｉｉ）新タイプ１ａに、増強されたサブ帯域Ｗ２、および集積ＣＱＩが含まれる。そのサブ帯域位置は、ＣＳＩプロセス＃１におけるサブ帯域位置と同様であり、フィードバックされる必要がない。なお、増強されたサブ帯域Ｗ２とは、さらに精度よく量子化されたサブ帯域Ｗ２を指す。
【０１５７】
（ｉｘ）新タイプ１ａに、増強されたサブ帯域Ｗ２、およびサブ帯域ＣＱＩが含まれる。そのサブ帯域位置は、ＣＳＩプロセス＃１におけるサブ帯域位置と同様であり、フィードバックされる必要がない。なお、増強されたサブ帯域Ｗ２とは、さらに精度よく量子化されたサブ帯域Ｗ２を指す。
【０１５８】
上述の９通りの設計を図８に具体的に示す。上述の９通りの設計のうちの１つを、新タイプ１ａとして選択することできる。また、発信地点がＲＲＣまたはＭＡＣシグナリングを用いて、９通りの設計のサブ集合の中から、１つの設計をユーザ装置の新タイプ１ａとして選択してもよい。例えば、設計（ｉ）、（ｉｉ）および（ｉｉｉ）をユーザ装置４１６の設計のサブ集合とし、発信地点２０２がＲＲＣシグナリングを用いて、設計（ｉｉ）をユーザ装置４１６の新タイプ１ａとしてユーザ装置４１６へ設定してもよい。
【０１５９】
なお、相対位相情報とは、１つまたは複数の位相値を指す。また、前記集積ＣＱＩには、マルチデータストリームのＪＴ伝送をサポートするために、複数のＣＱＩ値が含まれてもよい。さらに、集積ＣＱＩの算出は、ＣＳＩプロセス＃１、およびＣＳＩプロセス＃２または＃３によるＪＴ伝送の想定に基づいて、行われる。
【０１６０】
また、前記の例示では、便宜上、協働発信地点の集合に２つまたは３つの発信地点が含まれる場合のフィードバック形式を説明したが、当業者は、本発明の教示に基づき、上述したフィードバック形式を、協働発信地点の集合にさらに多くの発信地点が含まれる場合に適用することが可能である。
【０１６１】
前記チャネル状態情報のフィードバックを実現するために、本発明はさらにユーザ装置７００を提供する。図７は、本発明に係るユーザ装置の構成を模式的に示すブロック図である。
【０１６２】
図７に示すように、本発明に係るユーザ装置７００は、発信地点が設定した、マルチアンテナ・多発信地点協働に参与するＣＳＩプロセス集合を取得するＣＳＩプロセス集合取得ユニット（７１０）と、発信地点がＣＳＩプロセス集合内のＣＳＩプロセスに対して設定したサブ帯域（ＳＢ）継承を取得するＲＩ／ＳＢ継承設定取得ユニット（７２０）と、ＣＳＩプロセスに対する設定に基づいてＣＳＩを算出するＣＳＩ算出ユニット（７３０）と、算出されたＣＳＩを発信地点にフィードバックするＣＳＩフィードバックユニット（７４０）とを含む。
【０１６３】
好ましくは、前記継承設定取得ユニット（７２０）は、さらに、発信地点がＣＳＩプロセス集合内のＣＳＩプロセスに対して設定したランク指示子（ＲＩ）継承を取得する。
【０１６４】
好ましくは、ＳＢ参照型プロセスおよびＳＢ依存型プロセスにおいてＳＢ情報および他のＣＳＩを同時間に通知する必要がある場合には、前記ＣＳＩ算出ユニット（７３０）は、ＳＢ参照型プロセスに関するＣＳＩのみを算出する。
【０１６５】
好ましくは、ＳＢ参照型プロセスおよびＳＢ依存型プロセスにおいてＳＢ情報および他のＣＳＩを異なる時間に通知する必要がある場合には、前記ＣＳＩ算出ユニット（７３０）は、直近に継承されたＳＢ情報に基づいて、ＳＢ依存型プロセスに関する通知情報を算出する。
【０１６６】
好ましくは、前記ＣＳＩ算出ユニット（７３０）は、ＳＢ参照型プロセスおよび対応のＳＢ依存型プロセスによるＪＴ伝送を想定し、ＳＢ参照型プロセスのＳＢ選択を算出する。
【０１６７】
好ましくは、ＳＢ依存型プロセスとして設定され、ＲＩ依存型プロセスとして設定されていないＣＳＩプロセスに対し、前記ＣＳＩフィードバックユニット（７４０）は新モード２−１における新フィードバックタイプ１ａを採用してフィードバックを行い、該新フィードバックタイプ１ａでのフィードバック内容には、ＳＢ参照型プロセスから継承されるサブ帯域位置が含まれない。
【０１６８】
好ましくは、ＳＢ依存型プロセスおよびＲＩ参照型プロセスとして設定されたＣＳＩプロセスに対し、前記ＣＳＩフィードバックユニット（７４０）は新モード２−１における新フィードバックタイプ１ａを採用してフィードバックを行い、該新フィードバックタイプ１ａでのフィードバック内容には、ＳＢ参照型プロセスから継承されるサブ帯域位置が含まれ、または含まれない。
【０１６９】
好ましくは、前記ＣＳＩ算出ユニット（７３０）は、ＳＢ参照型プロセスおよびＳＢ依存型プロセスによるＪＴ伝送を想定し、集積ＣＱＩを算出する。
【０１７０】
なお、以上の説明は、本発明の技術的構成を例示的に示したが、本発明が上述のステップおよびユニットの構成に限定されることを意味するものではない。ステップおよびユニットの構成は、可能であれば、必要に応じて調整や取捨を行ってもよい。したがって、一部のステップおよびユニットは、本発明を実施する全体的な発明思想に必須な要素ではない。そのため、本発明に必須な技術的構成は、本発明を実現できる全体的な発明思想に最低限の要求に限定されるものであり、前記の具体的な実施例に限定されるものではない。
【０１７１】
以上は、本発明の好ましい実施例を挙げて本発明について説明したが、本発明の精神および範囲を超えない限り、本発明に対する種々の変更、置換および付加が可能であることは、当業者であれば理解できる。したがって、本発明は、上述した特定の実施例に限定されず、付される特許請求の範囲により限定されるべきである。
【図面の簡単な説明】
【０１７２】
図面と併せて本発明の好ましい実施例を説明することにより、本発明の前記および他の目的、特徴および利点はより明白になる。
【図１】ＭＩＭＯシステムの模式図である。
【図２】完全型のチャネル状態情報フィードバックの模式図である。
【図３】統計に基づくチャネル状態情報フィードバックの模式図である。
【図４】コードブック空間探索に基づくチャネル状態情報フィードバックの模式図である。
【図５】多セル型セルラ通信システムの模式図である。
【図６】本発明に係る方法のフローチャート図である。
【図７】本発明に係るユーザ装置の構成を模式的に示すブロック図である。
【図８】本発明に係るタイプ１ａとして考えられる９種類のフィードバック形式の模式図である。
【図１】
2016514415.tif 000003
【図２】
2016514415.tif 000004
【図３】
2016514415.tif 000005
【図４】
2016514415.tif 000006
【図５】
2016514415.tif 000007
【図６】
2016514415.tif 000008
【図７】
2016514415.tif 000009
【図８】
2016514415.tif 000010
【国際調査報告】
2016514415.tif 000011
2016514415.tif 000012
2016514415.tif 000013
2016514415.tif 000014